(57)【特許請求の範囲】
【請求項１】
周囲を覆う外枠の前方側に、遊技枠が片開き自在に蝶着されているとともに、
遊技枠の開放側と同側の外枠の端縁に、係合片が設けられており、かつ、遊技枠の開放側の端縁に、外枠の係合片と係脱する係合部材が、上下動自在に設けられており、その係合部材に、アームを有する解除部材が、係合部材に穿設された作動孔にアームを嵌入させた状態で付設されており、
係合部材を外枠の係合片に係止させることにより、遊技枠が外枠に対して閉じた状態で保持され、解除部材を所定方向に作動させることにより、係合部材が上下動して係合部材と外枠の係合片との係合状態が解除され、遊技枠が外枠に対して開成可能となる遊技機であって、
前記作動孔の周縁と前記アームの非作動方向側との間隔が、外枠の係合片との係合状態を解除するために必要な係合部材の移動距離よりも短くなっているとともに、
係合部材が水平動自在に設けられており、係合部材を水平動させた場合に、作動孔からアームが離脱するようになっており、かつ、係合部材が作動孔にアームを嵌入させるように付勢されていることを特徴とする遊技機。
【請求項２】
遊技枠の前方側に、前面枠が片開き自在に蝶着されているとともに、
前面枠の開放側の端縁に、係合片が設けられており、かつ、前面枠の開放側と同側の遊技枠の端縁に、前面枠の係合片と係脱する係合部材が、上下動自在に設けられており、その係合部材に、アームを有する解除部材が、係合部材に穿設された作動孔にアームを嵌入させた状態で付設されており、
係合部材を前面枠の係合片に係止させることにより、前面枠が遊技枠に対して閉じた状態で保持され、解除部材を所定方向に作動させることにより、係合部材が上下動して係合部材と前面枠の係合片との係合状態が解除され、前面枠が遊技枠に対して開成可能となる遊技機であって、
前記作動孔の周縁と前記アームとの間隔が、前面枠の係合片との係合状態を解除するために必要な係合部材の移動距離よりも短くなっているとともに、
係合部材が水平動自在に設けられており、係合部材を水平動させた場合に、作動孔からアームが離脱するようになっており、かつ、係合部材が作動孔にアームを嵌入させるように付勢されていることを特徴とする遊技機。
【請求項３】
係合部材の水平動を制限する規制手段が設けられていることを特徴とする請求項１、または請求項２に記載の遊技機。
【発明の詳細な説明】
【０００１】
【発明の属する技術分野】
本発明は、パチンコ機、スロットマシーン等の遊技機に関するものである。
【０００２】
【従来の技術】
通常のパチンコ機は、周囲が外枠で覆われており、その外枠の前方に、遊技盤や機構板等を設置した遊技枠が、片開き自在に取り付けられている。また、遊技枠には、その開閉を制限するための第１の施錠手段が設けられており、通常は、遊技枠が、外枠に対して閉じた状態でロックされており、ロックを解除した場合にのみ、外枠に対して片開きできるようになっている。図１６は、遊技枠に設けられた施錠手段の一部を示したもの（パチンコ機の裏面側から一部を省略して示したもの）であり、外枠７１の片側の端縁には、係合片７２，７２が上下に設けられている。また、遊技枠（図示せず）の開放側の端縁には、回動自在に枢着された上下一対の鉤部材７３，７３と連結部材７４とからなる係合部材７７が設置されており、各鉤部材７３，７３は、基端が連結部材７４によって連結された状態になっており、連結部材７４を上下動させることによって、パチンコ機の前面と直交する鉛直面内において回動し、外枠７１に設けられた各係合片７２，７２と係脱するようになっている。さらに、連結部材７４は、常時、バネ等の弾性部材によって下方に付勢されており、各鉤部材７３，７３が外枠７１の係合片７２，７２と係合するように付勢されている。このため、常時は、遊技枠が外枠７１に対して閉じた状態でロックされている。そして、連結部材７４に付設された施錠装置（図示せず）のカムを回動操作し、連結部材７４を上方にスライドさせることによって、遊技枠を外枠７１に対して片開きできるようになっている。なお、遊技枠に設置されている機構板（図示せず）には、パチンコ機の遊技内容を制御する制御基板が装着されている。かかるパチンコ機は、通常、カードリーダ装置（あるいは球貸装置）７５を左隣りに付設した状態で、パチンコホールの島設備に設置して使用される（したがって、パチンコ機の右側には、別のパチンコ機のカードリーダ装置７５が隣り合うことになる）。
【０００３】
また、従来のパチンコ機は、遊技枠に設置された遊技盤の前方に、ガラス板を嵌め込んだ前面枠が、片開き自在に取り付けられているとともに、その前面枠の開閉を制限するための第２の施錠手段が、遊技枠に設けられている。施錠手段は、遊技枠に上下動自在に設けられた係合部材、前面枠に設けられた係合片等によって構成されている。そして、係合部材を上下動させて前面枠の係合片と係脱させることによって、前面枠を、外枠に対して閉じた状態でロックしたり、開成したりすることができるようになっている。
【０００４】
【発明が解決しようとする課題】
しかしながら、上記従来のパチンコ機においては、図１６（ａ）の如く、先端に水平なコ字状の折り返しを垂設した扁平な長尺状の器具７６（以下、「こじ開け器具」という）を、上方から、外枠７１と隣のパチンコ機のカードリーダ装置７５との隙間に挿入し、図１６（ｂ）の如く、遊技枠に付設されている鉤部材７３を無理矢理押し下げ、遊技枠を片開きし、機構板に装着されている制御基板を別のものに取り替える、という不正行為（以下、遊技枠の「こじ開け不正行為」という）が行われることがある。
【０００５】
さらに、上記従来のパチンコ機においては、「こじ開け器具」を、前面枠と遊技枠との隙間に挿入し、遊技枠に設けられている係合部材を無理矢理上下させ、前面枠を片開きし、遊技盤に設置されている入賞装置に不当な遊技球を入賞させる、という不正行為（以下、前面枠の「こじ開け不正行為」という）が行われることがある。
【０００６】
本発明の目的は、上記従来のパチンコ機が有する問題点を解消し、遊技枠や前面枠の「こじ開け不正行為」を効果的に防止することが可能な遊技機を提供することにある。
【０００７】
【課題を解決するための手段】
かかる本発明の構成の内、請求項１に記載された発明の構成は、周囲を覆う外枠の前方側に、遊技枠が片開き自在に蝶着されているとともに、遊技枠の開放側と同側の外枠の端縁に、係合片が設けられており、かつ、遊技枠の開放側の端縁に、外枠の係合片と係脱する係合部材が、上下動自在に設けられており、その係合部材に、アームを有する解除部材が、係合部材に穿設された作動孔にアームを嵌入させた状態で付設されており、係合部材を外枠の係合片に係止させることにより、遊技枠が外枠に対して閉じた状態で保持され、解除部材を所定方向に作動させることにより、係合部材が上下動して係合部材と外枠の係合片との係合状態が解除され、遊技枠が外枠に対して開成可能となる遊技機であって、前記作動孔の周縁と前記アームの非作動方向側との間隔が、外枠の係合片との係合状態を解除するために必要な係合部材の移動距離よりも短くなっているとともに、係合部材が水平動自在に設けられており、係合部材を水平動させた場合に、作動孔からアームが離脱するようになっており、かつ、係合部材が作動孔にアームを嵌入させるように付勢されていることにある。なお、非作動方向とは、所定方向（すなわち、係合部材と外枠の係合片との係合状態を解除するために解除部材を作動させる方向）に対して反対側の方向のことである。
【０００８】
請求項２に記載された発明の構成は、遊技枠の前方側に、前面枠が片開き自在に蝶着されているとともに、前面枠の開放側の端縁に、係合片が設けられており、かつ、前面枠の開放側と同側の遊技枠の端縁に、前面枠の係合片と係脱する係合部材が、上下動自在に設けられており、その係合部材に、アームを有する解除部材が、係合部材に穿設された作動孔にアームを嵌入させた状態で付設されており、係合部材を前面枠の係合片に係止させることにより、前面枠が遊技枠に対して閉じた状態で保持され、解除部材を所定方向に作動させることにより、係合部材が上下動して係合部材と前面枠の係合片との係合状態が解除され、前面枠が遊技枠に対して開成可能となる遊技機であって、前記作動孔の周縁と前記アームとの間隔が、前面枠の係合片との係合状態を解除するために必要な係合部材の移動距離よりも短くなっているとともに、係合部材が水平動自在に設けられており、係合部材を水平動させた場合に、作動孔からアームが離脱するようになっており、かつ、係合部材が作動孔にアームを嵌入させるように付勢されていることにある。
【００１０】
請求項３に記載された発明の構成は、請求項１、または請求項２に記載された発明において、係合部材の水平動を制限する規制手段が設けられていることにある。
【００１１】
【発明の実施の形態】
以下、本発明の遊技機の一実施形態としてのパチンコ機を図面に基づいて詳細に説明する。
【００１２】
図１は、パチンコ機１の正面を示したものであり、図２は、図１におけるＡ−Ａ線断面を示したものである。パチンコ機１は、上下面および左右両側面が外枠２によって覆われており、外枠２の前面に、前面枠４が、左端縁を軸として、片開き自在に蝶着されている。また、前面枠４の下方には、供給皿を設けた上皿部５、貯留皿を設けた下側機能部６が設置されている。図３は、前面枠４を片開きした状態を示したものであり、外枠２の前方（前面枠４の後方）には、金属板を折り曲げ形成した遊技枠３が、左端縁を軸として、片開き自在に蝶着されている。遊技枠３には、遊技球払出装置等を設置した機構板や、種々の入賞装置を設置し、多数の障害釘を植設した遊技盤５９等が取り付けられている（なお、図３においては、機構板、遊技盤５９、上皿部５、下側機能部６の記載が省略されている）。さらに、図２の如く、遊技枠３の右端縁には、外枠２に対して遊技枠３を閉じた状態で保持するとともに遊技枠３に対して前面枠４を閉じた状態で保持するための施錠手段７が設置されている。
【００１３】
図４〜図６は、それぞれ、施錠手段７の正面、右側面、背面を示したものであり、図７は、施錠手段７を分解して示したものである。また、図８は、図７におけるＢ−Ｂ線断面を示したものである。さらに、図９は、施錠手段７の下側の部分を示したものであり、図１０、図１１は、それぞれ、図９におけるＣ−Ｃ線断面、Ｄ−Ｄ線断面を示したものである。加えて、図１２は、施錠手段７の下側の部分を分解して示したものである。施錠手段７は、フレーム１０、第一係合部材２４、第二係合部材２８、解除部材であるカム２３、鍵機構１３、コイルバネ３１ａ，３１ｂ，３２，５７，５７、規制部材であるスペーサ６２等によって、組み立て形成されている。
【００１４】
フレーム１０は、長尺な金属板を断面Ｌ字状に折り曲げ形成したものであり、ベース部４０と折り返し部４１とを有している。ベース部４０には、ストッパ５３およびガイド５４が、内側に突出するように設けられており、止め孔３６，３６、係止孔６３が穿設されている。また、ベース部４０の折り返し部４１付近には、３つの板バネ５８，５８・・が設置されている。各板バネ５８，５８・・は、円弧状に形成されており、下端がベース部４０に溶接されている。そして、中央がベース部４０の表面から突出した状態になっている。また、上端際にガイド孔６１が穿設されており、そのガイド孔６１内に、ベース部４０に固着された支持ピン６０を挿通させた状態になっている（すなわち、板バネ５８の上端際が、支持ピン６０によって摺動自在に支持された状態になっている。）このため、図８（ｂ）の如く、中央の膨出部分に圧力が加わると、上端が上側に移動し、中央の膨出部分がベース部４０に近づくようになっている。一方、フレーム１０の折り返し部４１には、ガイドスリット１１，１１が穿設されているとともに、バネ係止突片２２ａ，２２ｂ、２９が設けられており、それぞれ、内側に突出した状態になっている。
【００１５】
第一係合部材２４は、鉤部材１６ａ，１６ｂ、および、それらの基端を連結する連結部材１７等によって構成されている。各鉤部材１６ａ，１６ｂは、先端が傾斜状になっており、先端よりやや後方の上側に、切り欠き４７が設けられている。そして、基端、および中央よりやや後方には、それぞれ、止め孔３７，３８が穿設されている。一方、連結部材１７は、長尺な金属板を断面Ｌ字状に折り曲げ形成したものであり、ベース部４３と折り返し部４４とを有している。そして、上端および下端に、止め孔３９，３９が穿設されている。さらに、ベース部４３の下端際には、挿通孔４２および第一作動孔２７が、上下に連設されており、折り返し部４４には、バネ係止突片２１ａ，２１ｂが、折り返し部４４の端縁から外側に突出するように設けられている。
【００１６】
第二係合部材２８は、長尺な金属板を断面Ｌ字状に折り曲げ形成したものであり、ベース部４９と折り返し部５０とを有している。そして、折り返し部５０の端縁の上端および中央よりやや下側から、鉤部１２ａ，１２ｂが突出した状態になっている。各鉤部１２ａ，１２ｂは、先端が傾斜状になっており、先端よりやや後方の上側に切り欠き４８が設けられている。さらに、ベース部４９の中央よりやや上側には、摘み５２が設けられており、下端際には、第二作動孔４５が穿設されている。
【００１７】
施錠手段７は、第一係合部材２４の各鉤部材１６ａ，１６ｂが、コイルバネ５７を介した状態で、止め具（リベット）３４によって、フレーム１０の止め孔３６に回動可能に枢着されている。また、各鉤部材１６ａ，１６ｂの基端が、止め具（リベット）３３，３３によって、連結部材１７に連結されている。このため、連結部材１７は、ベース部４３をフレーム１０のベース部４０と一定の間隔を隔てて平行になるように配置した状態で、上下にスライド可能になっている。加えて、第二係合部材２８が、各鉤部１２ａ，１２ｂを、フレーム１０の折り返し部４１に穿設されたガイドスリット１１に挿入した状態で、連結部材１７と重なり合うように連結部材１７の内側に挟み込まれており、その第二係合部材２８の内側の面に、板バネ５８，５８・・の中央の膨出部分が当接した状態になっている。
【００１８】
さらに、各鉤部材１６ａ，１６ｂ、連結部材１７、第二係合部材２８をフレーム１０に一体的に組み付けた状態で、コイルバネ３１ａ，３１ｂが、連結部材１７のバネ係止突片２１ａとフレーム１０のバネ係止突片２２ａとの間、および連結部材１７のバネ係止突片２１ｂとフレーム１０のバネ係止突片２２ｂとの間に懸架されている。したがって、コイルバネ３１ａ，３１ｂによって、連結部材１７が、常に下方に付勢され、ストッパ５３によって下側の所定位置で固定された状態になっている。また、コイルバネ３２が、第二係合部材２８のバネ係止突片３０とフレーム１０のバネ係止突片２９とに懸架されているため、コイルバネ３２によって、第二係合部材２８が上向きに付勢され、ガイドスリット１１によって上側の所定位置で固定された状態になっている。
【００１９】
また、フレーム１０の下端には、鍵機構１３が、折り返し部４１の前面から突出するように設けられている。そして、鍵機構１３の後方から突出した鍵軸５５に、カム２３が固着されており、そのカム２３の二股に分かれた第二アーム２５が、連結部材１７の挿通孔４２および第二係合部材２８の第二作動孔４５内に挿入し、カム２３の第一アーム２６が、連結部材１７の第一作動孔２７内に挿入した状態になっている。さらに、カム２３の付近には、フレーム１０のベース部４０と第二係合部材２８との間に、スペーサ６２が、着脱自在に装着されている。図１５は、スペーサ６２を示したものであり、スペーサ６２は、合成樹脂によって一体的に形成されており、断面コ字状に形成された規制部６４の片端から、Ｕ字状の装着片６５が突出した状態になっている。そして、装着片６５の有する弾性を利用して、装着片６５先端の内側に突設された係止突起６６を、ベース４０の係止孔６３に係止させることによって、規制部６４の二股状の端縁を当接させた状態で、ベース４０に装着されている。
【００２０】
上記した施錠手段７は、フレーム１０を遊技枠３の右端に固着させることによって、パチンコ機１に装着されている。一方、図１１の如く、外枠２の右端縁の上下の内側には、それぞれ、断面Ｌ字状の係合片９，９が突設されている。また、図３の如く、前面枠４の右端縁の内側の上下には、断面Ｌ字状の係合片８，８が突設されている。
【００２１】
かかるパチンコ機１は、片開きしている遊技枠３を外枠２に対して閉じるように押し込むと、各鉤部材１６ａ，１６ｂの先端の傾斜部分が、外枠２に設けられた係合片９の下端に衝突し、各鉤部材１６ａ，１６ｂが、先端を下に向けるように鉛直面内を回動するとともに、連結部材１７が、コイルバネ３１ａ，３１ｂの付勢力に抗して上昇する。そして、遊技枠３が完全に閉じられると、各鉤部材１６ａ，１６ｂの切り欠き４７に、外枠２の係合片９が係合可能な状態となるため、コイルバネ３１ａ，３１ｂによって付勢されている連結部材１７が下降するとともに、各鉤部材１６ａ，１６ｂが、先端を上に向けるように回動する。そして、各鉤部材１６ａ，１６ｂの切り欠き４７に外枠２の係合片９が係合すると、遊技枠３が、外枠２に対して閉じた状態に保持される。
【００２２】
また、片開きしている前面枠４を遊技枠３に対して閉じるように押し込むと、第二係合部材２８の各鉤部１２ａ，１２ｂの先端の傾斜部分が、前面枠４に設けられた係合片８の下端に衝突し、第二係合部材２８が、コイルバネ３２の付勢力に抗して下降する。そして、前面枠４が完全に閉じられると、第二係合部材２８の各鉤部１２ａ，１２ｂの切り欠き４８に、前面枠４の係合片８が係合可能な状態になるため、コイルバネ３２によって付勢されている第二係合部材２８が上昇する。そして、第二係合部材２８の各鉤部１２ａ，１２ｂの切り欠き４８に前面枠４の係合片８が係合すると、前面枠４が、遊技枠３に対して閉じた状態に保持される。なお、第二係合部材２８は、ベース部４９の端縁がストッパ５３およびガイド５４に沿った状態で上昇・下降するため、前後方向に振れることなく非常にスムーズに上昇・下降する。
【００２３】
一方、施錠手段７の鍵穴１４に適合した鍵５６を挿入することによって、鍵軸５５の正回転（パチンコ機１の正面から見た場合の時計回り）および逆回転（パチンコ機１の正面から見た場合の反時計回り）が可能となる（なお、鍵穴１４に適合した鍵５６を挿入しない限り、鍵軸５５およびカム２３は回動しないようになっている）。そして、鍵軸５５を正回転させた場合には、図１４（ａ）の如く、鍵軸５５の回転に伴って、カム２３が正回転（パチンコ機１の背面から見た場合の反時計回り）し、連結部材１７の第一作動孔２７内に挿入した状態になっている第一アーム２６が、第一作動孔２７の上側の周縁を押し上げる。このため、連結部材１７がコイルバネ３１ａ，３１ｂの付勢力に抗して上昇し、各鉤部材１６ａ，１６ｂが、先端を下に向けるように回動する。このため、各鉤部材１６ａ，１６ｂの切り欠き４７と外枠２の係合片９との係合が解除され、遊技枠３を外枠２に対して片開きすることが可能となる。
【００２４】
また、鍵軸５５を逆回転させた場合には、図１４（ｂ）の如く、鍵軸５５の回転に伴って、カム２３が逆回転し、第二係合部材２８の第二作動孔４５内に挿入した状態になっている第二アーム２５が、第二作動孔４５の下側の周縁を押し下げる。このため、第二係合部材２８がコイルバネ３２の付勢力に抗して下降する。このため、第二係合部材２８の各鉤部１２ａ，１２ｂの切り欠き４８と前面枠４の係合片８との係合が解除され、前面枠４を遊技枠３に対して片開きすることが可能となる。
【００２５】
さらに、パチンコ機１においては、連結部材１７の第一作動孔２７が、カム２３の第一アーム２６よりわずかに大きい程度の矩形に形成されているため、カム２３が回転していない位置（図１０の如き位置）にある場合には、連結部材１７を上方にスライドさせようとしても、第一作動孔２７の下側の周縁が直ちに第一アーム２６とぶつかるので、連結部材１７を上方にスライドさせることができない。したがって、カム２３が回転していない位置にある場合には、連結部材１７が無理矢理上方にスライドさせられて第一係合部材２４の各鉤部材１６ａ，１６ｂと外枠２の係合片９との係合状態が解除される、という事態は発生しない（すなわち、第一作動孔２７の下側の周縁と第一アーム２６との間隔が、第一係合部材２４の各鉤部材１６ａ，１６ｂと外枠２の係合片９との係合状態を解除するために必要な連結部材１７の移動距離よりも短くなっている）。
【００２６】
加えて、パチンコ機１においては、第二係合部材２８の第二作動孔４５が、カム２３の第二アーム２５よりわずかに大きい程度の矩形に形成されているため、カム２３が回転していない位置にある場合には、第二係合部材２８を下方にスライドさせようとしても、第二作動孔４５の上側の周縁が第二アーム２５とぶつかるので、第二係合部材２８を下側にスライドさせることができない。したがって、カム２３が回転していない位置にある場合には、第二係合部材２８が無理矢理下方にスライドさせられて第二係合部材２８の各鉤部１２ａ，１２ｂと前面枠４の係合片８との係合状態が解除される、という事態は発生しない（すなわち、第二作動孔４５の上側の周縁と第二アーム２５との間隔が、各鉤部１２ａ，１２ｂと前面枠４の係合片８との係合状態を解除するために必要な第二係合部材２８の移動距離よりも短くなっている）。
【００２７】
一方、スペーサ６２を取り外した場合には、図１３の如く、第一係合部材２４（鉤部材１６ａ，１６ｂ、連結部材１７）および第二係合部材２８を、板バネ５８ａ〜５８ｃおよびコイルバネ５７，５７の付勢力に抗して、フレーム１０のベース部４０に近づけるように水平動させることが可能となる。そして、第一係合部材２４および第二係合部材２８を水平動させた場合には、カム２３の第一アーム２６が連結部材１７の第一作動孔２７内から外れるとともに、カム２３の第二アーム２５が第二係合部材２８の第二作動孔４５内から外れる。このため、第１結合部材２４および第二係合部材２８が、上下にスライド可能な状態となり、鍵５６を使用することなく、遊技枠３を外枠２に対して開成すること、および前面枠４を遊技枠３に対して開成することが可能となる。なお、手動により第二係合部材２８を下側にスライドさせる場合には、摘み５２を利用することによって、容易にスライドさせることができる。また、第二係合部材２８は、ガイド５４によって、所定の位置より下側にスライドしないようになっている。一方、かかるパチンコ機１は、通常、左側にカードリーダ装置（あるいは球貸装置）を付設した状態で、パチンコホールの島設備に設置される。
【００２８】
パチンコ機１は、上記の如く構成されているため、外枠２と隣の遊技機に設置されたカードリーダ装置（あるいは球貸装置）との隙間から、「こじ開け器具」が挿入された場合でも、第一係合部材２４を無理矢理上にスライドさせることができないので、遊技枠３の「こじ開け不正行為」を防止することができる。また、パチンコホールへの設置前やメンテナンス時等の必要な場合には、第一係合部材２４を水平動させ第一作動孔２７から第一アーム２６を離脱させて、カム２３を作動させることなく容易に第一係合部材２４（連結部材１７）を上にスライドさせて、遊技枠３を外枠２に対して開成することができる。
【００２９】
さらに、パチンコ機１は、前面枠４と遊技枠３との隙間から、「こじ開け器具」が挿入された場合でも、第二係合部材２８を無理矢理下にスライドさせることができないので、前面枠４の「こじ開け不正行為」を防止することができる。加えて、パチンコホールへの設置前やメンテナンス時等の必要な場合には、第二係合部材２８を水平動させ第二作動孔４５から第二アーム２５を離脱させて、カム２３を作動させることなく容易に第二係合部材２８を下にスライドさせて、前面枠４を遊技枠３に対して開成することができる。
【００３０】
さらに、パチンコ機１は、第一係合部材２４が、コイルバネ５７，５７および板バネ５８，５８・・によって、第一作動孔２７に第一アーム２６を嵌入させるように付勢されているため、不必要な場合に誤って第一作動孔２７から第一アーム２６が離脱して、第一係合部材２４の連結部材１７が上下にスライド可能な状態となったりしない。また、第二係合部材２８も同様に、コイルバネ５７，５７および板バネ５８，５８・・によって、第二作動孔４５に第二アーム２５を嵌入させるように付勢されているため、不必要な場合に誤って第二作動孔４５から第二アーム２５が離脱して、第二係合部材２８が上下にスライド可能な状態となったりしない。
【００３１】
加えて、パチンコ機１は、第一係合部材２４および第二係合部材２８の水平動を制限するスペーサ６２が設けられているため、誤って第一作動孔２７から第一アーム２６が離脱して、第一係合部材２４の連結部材１７が上下にスライド可能な状態となったり、誤って第二作動孔４５から第二アーム２５が離脱して第二係合部材２８が上下にスライド可能な状態となったりする事態を確実に防止することができる。
【００３２】
なお、本発明の遊技機の構成は、上記実施形態の態様に何ら限定されるものではなく、外枠、遊技枠、前面枠、上皿部、下側機能部、施錠手段の形状・構造等の構成を、本発明の趣旨を逸脱しない範囲で、必要に応じて適宜変更できる。
【００３３】
たとえば、パチンコ機は、右側に施錠手段が設けられたものに限定されず、左側に施錠手段が設けられたものでも良い。また、施錠手段は、２つの係合部材を並有するものに限定されず、１つの係合部材のみを有するものでも良い。さらに、施錠手段は、遊技枠本体から取り外し可能なフレームを有するものに限定されず、遊技枠に一体的に設けられたフレームを有するもの（第一係合部材、第二係合部材等を遊技枠本体に直接的に取り付けたもの）でも良い。なお、施錠手段が、遊技枠本体から取り外し可能なフレームを有するものである場合には、簡単に着脱でき、メンテナンスが容易で、安価に修理することができる、というメリットがある。
【００３４】
また、施錠手段を、上記実施形態の如く、遊技枠を外枠に対して閉じた状態で保持する第一係合部材と前面枠を遊技枠に対して閉じた状態で保持する第二係合部材とを併有するものとする場合には、第一係合部材を、第二係合部材の如く、上下にスライドすることによって外枠の係合片と係脱するものとすることもできるし、第二係合部材を、第一係合部材の如く、連結部材の上下動によって鉤部材が回動して前面枠の係合片と係脱するものとすることもできる。さらに、施錠手段は、第一係合部材が外枠に設けられているとともに第一係合部材と係合する係合片が遊技枠に設けられたものや、第二係合部材が前面枠に設けられているとともに第二係合部材と係合する係合片が遊技枠に設けられたものでも良い。加えて、施錠手段は、第一係合部材とフレーム（遊技枠）との間に第二係合部材を挟み込んだものに限定されず、第二係合部材とフレーム（遊技枠）との間に第一係合部材を挟み込んだ構成を有するものでも良いし、第一係合部材と第二係合部材とを別々の位置に設置したものでも良い。なお、第一係合部材と第二係合部材とを別々の位置に設置したものとした場合には、施錠装置のメンテナンスが一層容易なものとなる。加えて、施錠手段は、係合部材、鍵機構、解除部材、ストッパ等によって組み立て形成されたものに限定されず、他の部材を追加したり、一部の部材を省略したりすることも可能である。場合によっては、遊技枠、前面枠以外の開閉扉の施錠・解錠機構を併有するものとすることも可能である。
【００３５】
一方、施錠手段の係合部材を上下に付勢する部材は、コイルバネに限定されず、板バネやゴム等でも良い。また、作動孔にアームを嵌入させるように係合部材を付勢する手段は、コイルバネと板バネとを併用した手段に限定されず、いずれか一方でも良いし、ゴム等でも良い。なお、上記実施形態の如く、コイルバネと板バネとを併用した手段とする場合でも、コイルバネや板バネの設置態様は、何ら限定されない。さらに、施錠手段の係合部材は、２つの鉤部材を有するものに限定されず、１つの鉤部材のみを有するものや、３つ以上の鉤部材を有するものでも良いし、別個独立に作動する複数の鉤部材を有するものでも良い。加えて、鉤部材は、上方に回動して係合片と係合するものに限定されず、下方に回動して係合片と係合するものでも良い。
【００３６】
一方、遊技枠は、金属によって形成されたものに限定されず、合成樹脂等によって形成されたものでも良い。また、遊技枠は、遊技盤や機構板と別個になったものに限定されず、遊技盤や機構板と一体となってものでも良いし、その他の部材が設置されたものでも良い。
【００３７】
また、係合部材に設ける作動孔は、必ずしも解除部材のアームと略同一の大きさを有する矩形である必要はなく、「作動孔の周縁とアームの非作動方向側との間隔が、外枠の係合片との係合状態を解除するために必要な係合部材の上下動距離よりも短い」という条件を満たすようにすれば、作動孔を大きくすることも可能である。
【００３８】
なお、上記実施例においては、本発明の遊技機をパチンコ機として用いた場合について説明したが、本発明の遊技機は、パチンコ機ばかりでなく、スロットマシーンやテレビゲーム等として用いることも可能である。
【００３９】
【発明の効果】
請求項１に記載された遊技機は、作動孔の周縁とアームとの間隔が、外枠の係合片との係合状態を解除するために必要な係合部材の上下動距離よりも短くなっているため、外枠と隣の遊技機に設置されたカードリーダ装置（あるいは球貸装置）との隙間から、「こじ開け器具」が挿入された場合でも、係合部材を無理矢理上下にスライドさせることができないので、遊技枠の「こじ開け不正行為」を防止することができる。その上、係合部材が水平動自在に設けられており、係合部材を水平動させた場合に、作動孔からアームが離脱するため、パチンコホールへの設置前やメンテナンス時等の必要な場合には、係合部材を水平動させ作動孔からアームを離脱させて、鍵を利用して解除部材を作動させることなく、係合部材を上下にスライドさせて、遊技枠を外枠に対して開成することができる。また、請求項１に記載された遊技機は、係合部材が、作動孔にアームを嵌入させるように付勢されているため、不必要な場合に誤って作動孔からアームが離脱して、係合部材が上下にスライド可能な状態となったりしない。したがって、請求項１に記載された遊技機によれば、遊技枠や前面枠の「こじ開け不正行為」を効果的に防止することができる。
【００４０】
請求項２に記載された遊技機は、作動孔の周縁とアームとの間隔が、前面枠の係合片との係合状態を解除するために必要な係合部材の鉛直動距離よりも短くなっているため、前面枠と遊技枠との隙間から、「こじ開け器具」が挿入された場合でも、係合部材を無理矢理上下にスライドさせることができないので、前面枠の「こじ開け不正行為」を防止することができる。その上、係合部材が水平動自在に設けられており、係合部材を水平動させた場合に、作動孔からアームが離脱するため、パチンコホールへの設置前やメンテナンス時等の必要な場合には、係合部材を水平動させ作動孔からアームを離脱させて、解除部材を作動させることなく容易に係合部材を上下にスライドさせて、前面枠を遊技枠に対して開成することができる。また、請求項２に記載された遊技機は、係合部材が、作動孔にアームを嵌入させるように付勢されているため、不必要な場合に誤って作動孔からアームが離脱して、係合部材が上下にスライド可能な状態となったりしない。したがって、請求項２に記載された遊技機によれば、遊技枠や前面枠の「こじ開け不正行為」を効果的に防止することができる。
【００４２】
請求項３に記載された遊技機は、係合部材の水平動を制限する規制手段が設けられているため、誤って作動孔からアームが離脱して係合部材が上下にスライド可能な状態となる事態を確実に防止することができる。したがって、請求項３に記載された遊技機によれば、遊技枠や前面枠の「こじ開け不正行為」を一層効果的に防止することができる。
【図面の簡単な説明】
【図１】パチンコ機の正面を示す説明図である。
【図２】図１におけるＡ−Ａ線断面を示す説明図である。
【図３】前面枠を開成したパチンコ機を示す説明図である。
【図４】施錠手段の正面を示す説明図である。
【図５】施錠手段の右側面を示す説明図である。
【図６】施錠手段の背面を示す説明図である。
【図７】施錠装置を分解した状態を示す説明図である。
【図８】図７におけるＢ−Ｂ線断面を示す説明図である。
【図９】施錠装置の下側の部分を示す説明図である。
【図１０】図９におけるＣ−Ｃ線断面を示す説明図である。
【図１１】図９におけるＤ−Ｄ線断面を示す説明図である。
【図１２】施錠装置の下側の部分を分解して示す説明図である。
【図１３】図９におけるＣ−Ｃ線断面（第一・第二係合部材を水平動させた状態）を示す説明図である。
【図１４】図９におけるＣ−Ｃ線断面を示す説明図である（（ａ），（ｂ）は、それぞれカムを正回転・逆回転させた状態を示したものである）。
【図１５】スペーサを示す説明図である（（ａ），（ｂ），（ｃ）は、それぞれ正面、平面、左側面を示したものであり、（ｄ）は（ａ）におけるＥ−Ｅ線断面を示したものである）。
【図１６】従来の施錠手段を示す説明図である。
【符号の説明】
１・・パチンコ機、２・・外枠、３・・遊技盤、４・・前面枠、５・・上皿部、６・・下側機能部、７・・施錠手段、８，９・・係合片、１０・・フレーム、１１・・ガイドスリット、１２ａ，１２ｂ・・鉤部、１３・・鍵機構、１４・・鍵穴、１６ａ，１６ｂ・・鉤部材、１７・・連結部材、２１ａ，２１ｂ，２２ａ，２２ｂ・・バネ係止突片、２３・・カム、２４・・第一係合部材、２５・・第二アーム、２６・・第一アーム、２７・・第一作動孔、２８・・第二係合部材、２９，３０・・バネ係止突片、３１ａ，３１ｂ，３２・・コイルバネ、３３，３４・・止め具、３６〜３９・・止め孔、４０・・ベース部、４１・・折り返し部、４２・・挿通孔、４３・・ベース部、４４・・折り返し部、４５・・第二作動孔、４７，４８・・切り欠き、４９・・ベース部、５０・・折り返し部、５２・・摘み、５３・・ストッパ、５４・・ガイド、５５・・鍵軸、５６・・鍵、５７・・コイルバネ、５８・・板バネ、５９・・遊技盤、６０・・支持ピン、６１・・ガイド孔、６２・・スペーサ、６３・・係止孔、６４・・規制部、６５・・装着片、６６・・係止突起、７１・・外枠、７２・・係合片、７３・・鉤部材、７４・・連結部材、７５・・カードリーダ装置、７６・・こじ開け器具、７７・・係合部材。
【図１】
0003799919.tif 000002
【図２】
0003799919.tif 000003
【図３】
0003799919.tif 000004
【図４】
0003799919.tif 000005
【図５】
0003799919.tif 000006
【図６】
0003799919.tif 000007
【図７】
0003799919.tif 000008
【図８】
0003799919.tif 000009
【図９】
0003799919.tif 000010
【図１０】
0003799919.tif 000011
【図１１】
0003799919.tif 000012
【図１２】
0003799919.tif 000013
【図１３】
0003799919.tif 000014
【図１４】
0003799919.tif 000015
【図１５】
0003799919.tif 000016
【図１６】
0003799919.tif 000017